(57)【特許請求の範囲】
【請求項１】
屋内空間と、該屋内空間に隣接して設けられ、床部、その上方の屋根部及び囲い壁部により囲まれた半屋外空間とを備え、前記屋内空間と前記半屋外空間とを仕切る仕切壁部にそれら両空間を連通する窓部が形成された建物に適用され、
前記半屋外空間を屋外と仕切る該半屋外空間の囲い壁部のうち前記窓部に対向する壁部の下部に形成され、前記半屋外空間を屋外と連通させる通気入口と、
前記半屋外空間の屋根部に形成され、該半屋外空間を屋外と連通させる第１通気出口と、
前記第１通気出口を開閉する第１開閉手段と、
前記屋内空間の上方の屋根部に形成され、前記屋内空間を屋外と連通させる第２通気出口と、
前記第２通気出口を開閉する第２開閉手段と、
前記通気入口に設けられ、該通気入口を通じて前記半屋外空間に取り込まれる屋外風を前記第１通気出口側及び前記窓部側のいずれの側に導くかを切り替える切替手段と、
を備えることを特徴とする建物の通気構造。
【請求項２】
前記建物は、建物本体から屋外側に張り出して設けられた張出部を備え、その張出部に前記半屋外空間が形成されており、
前記通気入口は第１通気入口であり、
前記半屋外空間の床部には、当該半屋外空間を屋外と連通させる第２通気入口が設けられていることを特徴とする請求項１に記載の建物の通気構造。
【請求項３】
気象情報を取得する取得手段と、
前記取得手段により取得した気象情報に基づいて、前記第１開閉手段を閉鎖かつ前記第２開閉手段を開放させ、前記通気入口から取り込んだ屋外風により屋内通過気流を生じさせる第１通気状態と、前記第１開閉手段を開放かつ前記第２開閉手段を閉鎖させ、前記通気入口から取り込んだ屋外風により前記半屋外空間で上昇気流を生じさせる第２通気状態とを選択的に行わせる開閉制御手段と、
を備えることを特徴とする請求項１又は２に記載の建物の通気構造。
【請求項４】
前記通気入口は第１通気入口であり、
前記半屋外空間の床部には、当該半屋外空間を屋外と連通させる第２通気入口が設けられており、
それら各通気入口には入口開閉手段がそれぞれ設けられており、
前記開閉制御手段は、前記第１通気状態下において、前記第１通気入口を開放かつ前記第２通気入口を閉鎖すべく前記入口開閉手段を制御し、前記第２通気状態下において、前記第１通気入口を閉鎖かつ前記第２通気入口を開放すべく前記入口開閉手段を制御することを特徴とする請求項３に記載の建物の通気構造。
【請求項５】
前記半屋外空間の前記囲い壁部及び前記屋根部の少なくともいずれかは、前記半屋外空間に対して採光可能に構成されていることを特徴とする請求項１乃至４のいずれか一項に記載の建物の通気構造。
【発明の詳細な説明】
【技術分野】
【０００１】
本発明は、建物の通気構造に関する。
【背景技術】
【０００２】
住宅等の建物では、外壁部に形成された窓部を適宜開放することで室内空間の換気が行われるようになっている。この場合、室内空間の湿気やにおい等が屋外に排出され、室内環境を好適に保つことが可能となる。
【０００３】
ところで、建物によっては、室内空間の屋根天井部にトップライト（天窓）が設けられている場合がある（例えば、特許文献１参照）。この場合、外壁部の窓部を通じて屋外の空気（外気）が室内に取り込まれ、その空気がトップライトを通じて屋外に排出される。かかる構成では、外気の吸入口となる窓部に対して外気の排出口となるトップライトが上方に位置するため、室内空間で生ずる上昇気流を利用した通気が可能となり、室内空間の換気を好適に行うことができる。
【先行技術文献】
【特許文献】
【０００４】
【特許文献１】特開２００５−１４６８３８号公報
【発明の概要】
【発明が解決しようとする課題】
【０００５】
ところで、トップライトを用いて室内空間の換気を行う上記の構成では、例えば雨天等の悪天時にトップライトを通じて換気を行うと、当該トップライトを通じて雨が室内に入り込む等の不都合が生じるおそれがある。そのため、かかる悪天時には、トップライトを閉じておく必要がある。しかしながら、その場合、室内空間の換気を実施できなくなり、室内環境を好適に保つのが困難となる可能性がある。
【０００６】
本発明は、上記事情に鑑みてなされたものであり、都度の屋外環境に応じて好適に換気を行うことができる建物の通気構造を提供することを主たる目的とするものである。
【課題を解決するための手段】
【０００７】
上記課題を解決すべく、第１の発明の建物の通気構造は、屋内空間と、該屋内空間に隣接して設けられ、床部、その上方の屋根部及び囲い壁部により囲まれた半屋外空間とを備え、前記屋内空間と前記半屋外空間とを仕切る仕切壁部にそれら両空間を連通する窓部が形成された建物に適用され、前記半屋外空間を屋外と仕切る該半屋外空間の囲い壁部の下部又は床部に形成され、前記半屋外空間を屋外と連通させる通気入口と、前記半屋外空間の屋根部に形成され、該半屋外空間を屋外と連通させる第１通気出口と、前記第１通気出口を開閉する第１開閉手段と、前記屋内空間の上方の屋根部に形成され、前記屋内空間を屋外と連通させる第２通気出口と、前記第２通気出口を開閉する第２開閉手段と、を備えることを特徴とする。
【０００８】
本発明によれば、窓部が開放された状態で、半屋外空間の屋根部に形成された第１通気出口が第１開閉手段により閉鎖され、かつ、屋内空間側の屋根部に形成された第２通気出口が第２開閉手段により開放されると、屋外風が、半屋外空間の囲い壁部又は床部に形成された通気入口より半屋外空間に流れ込み、さらに窓部を通じて屋内空間に流れ込んだ後第２通気出口より屋外に排出される。これにより、屋内通過気流が生じ、屋内空間に風を通した状態で同空間の換気を好適に行うことができる。
【０００９】
一方、窓部が開放された状態で、屋内空間側の第２通気出口が第２開閉手段により閉鎖され、かつ、半屋外空間側の第１通気出口が第１開閉手段により開放されると、屋外風が、通気入口を通じて半屋外空間に流れ込み、その後上方に流れ第２通気出口より屋外に排出される。この場合、窓部が開放されていても、屋内空間上方の第２通気出口が閉鎖されているため、屋外風の屋内空間への流れ込みは生じにくくなっている。ゆえに半屋外空間において上向きの空気の流れ（すなわち上昇気流）が発生する。そして、この上昇気流により屋内空間の空気が窓部を通じて半屋外空間側に引き込まれ、その後当該上昇気流とともに第１通気出口より屋外に排出される。したがって、この場合、屋内空間に屋外風を通さなくても、同空間の換気を行うことができる。よって、以上より、晴天時には、屋内空間に風を通して換気を行い、雨天時には、半屋外空間の上昇気流を利用して換気を行う等、都度の屋外環境に応じて好適に換気を行うことができる。
【００１０】
第２の発明の建物の通気構造は、第１の発明において、前記通気入口は、前記半屋外空間の囲い壁部において前記窓部に対向する壁部に設けられており、前記通気入口に設けられ、該通気入口を通じて前記半屋外空間に取り込まれる屋外風を前記第１通気出口側及び前記窓部側のいずれの側に導くかを切り替える切替手段を備えることを特徴とする。
【００１１】
半屋外空間の囲い壁部において窓部に対向する壁部に通気入口が設けられている構成では、通気入口を通じて半屋外空間に取り込まれる屋外風が窓部側に向かう流れとして取り込まれる。この場合、窓部を開いた状態で屋内空間側の第２通気出口を開き(かつ半屋外空間側の第１通気出口を閉じ)屋内通過気流による屋内空間の換気を行う際には、屋外風がスムーズに屋内空間に流れ込むこととなるため好適な換気を行えるものの、半屋外空間側の第１通気出口を開いて(かつ屋内空間側の第２通気出口を閉じて)同空間に生じる上昇気流により屋内空間の換気を行う際には屋外風が迂回しながら上方の第１通気出口側に流れることとなるため好適な換気を行えなくなるおそれがある。そこで、本発明では、この点に鑑み、通気入口を通じて半屋外空間に取り込まれる屋外風を切替手段により第１通気出口側及び窓部側のいずれの側に導くかを切り替えられるようにしている。この場合、屋内通過気流により屋内空間の換気を行う際には、通気入口から取り込まれる屋外風が窓部側に導かれるよう切替手段の切り替えを行うことで、好適な換気を行うことができる。一方、半屋外空間における上昇気流により屋内空間の換気を行う際には、通気入口から取り込まれる屋外風が第１通気出口側に導かれるよう切替手段の切り替えを行うことで、好適な換気を行うことができる。よって、この場合、屋内通過気流により換気を行う場合、及び、半屋外空間の上昇気流により換気を行う場合のいずれにおいても好適な換気を実現できる。
【００１２】
第３の発明の建物の通気構造は、第１又は第２の発明において、前記建物は、建物本体から屋外側に張り出して設けられた張出部を備え、その張出部に前記半屋外空間が形成されており、前記通気入口は、前記半屋外空間の床部に設けられていることを特徴とする。
【００１３】
本発明によれば、張出部（例えばキャンチバルコニー）に形成された半屋外空間の床部に通気入口が設けられているため、屋外風が張出部（床部）の下方空間から通気入口を通じて上向きの流れとして半屋外空間に入り込む。そのため、半屋外空間側の第１通気出口を開いて（かつ屋内空間側の第２通気出口を閉じ）、半屋外空間に生じる上昇気流により屋内空間の換気を行う際に、当該上昇気流を促進させる効果が期待できる。また、張出部の下方空間はいわば凹空間（詳しくは張出部、地面及び建物本体の外壁部により三方を囲まれた凹空間）となっているため、外気が集まり易くなっていると考えられる。そのため、当該下方空間から屋外風を半屋外空間に取り込む上記の構成は、屋外風の取り込み量を多くすることができ、その点からしても半屋外空間での上昇気流の促進効果が期待できる。
【００１４】
第４の発明の建物の通気構造は、第１乃至第３のいずれかの発明において、気象情報を取得する取得手段と、前記取得手段により取得した気象情報に基づいて、前記第１開閉手段を閉鎖かつ前記第２開閉手段を開放させ、前記通気入口から取り込んだ屋外風により屋内通過気流を生じさせる第１通気状態と、前記第１開閉手段を開放かつ前記第２開閉手段を閉鎖させ、前記通気入口から取り込んだ屋外風により前記半屋外空間で上昇気流を生じさせる第２通気状態とを選択的に行わせる開閉制御手段と、を備えることを特徴とする。
【００１５】
本発明によれば、取得手段により取得した気象情報に基づいて、第１開閉手段を閉鎖かつ第２開閉手段を開放させ、通気入口から取り込んだ屋外風により屋内通過気流を生じさせる第１通気状態と、第１開閉手段を開放かつ第２開閉手段を閉鎖させ、通気入口から取り込んだ屋外風により半屋外空間で上昇気流を生じさせる第２通気状態とを選択的に行わせるようにしている。したがって、例えば屋外が晴天である場合には第１通気状態とすることにより、屋内空間に風を通した状態で同空間の換気を行ったり、屋外が雨天である場合には第２通気状態とすることにより、半屋外空間における上昇気流により屋内空間の換気を行ったりする等、屋内空間の換気態様を屋外の天候に応じて自動で切り替えることができる。これにより、屋内空間の換気を行うにあたって利便性を高めることができる。
【００１６】
また、第４の発明に対して第２の発明を組み合わせた場合においては、開閉制御手段が、第１通気状態下において屋外風を窓部側に導き、第２通気状態下において屋外風を第１通気出口側に導くように、切替手段を制御してもよい。そうすれば、第１通気状態では、通気入口を通じて半屋外空間に取り込まれる屋外風が窓部側に導かれるため、屋内通過気流による屋内空間の換気を好適に行える。また、第２通気状態では、通気入口を通じて半屋外空間に取り込まれる屋外風が第１通気出口側に導かれるため、半屋外空間での上昇気流による屋内空間の換気を好適に行える。よって、この場合、各通気状態における屋内空間の換気をそれぞれ好適に行うことができる。
【００１７】
なお、取得手段により取得する気象情報としては、降雨に関する降雨情報や、風に関する風情報等が考えられる。
【００１８】
第５の発明の建物の通気構造は、第４の発明において、前記通気入口として、前記半屋外空間の囲い壁部において前記窓部に対向する壁部に設けられた第１通気入口と、前記半屋外空間の床部に設けられた第２通気入口とを有し、それら各通気入口には入口開閉手段がそれぞれ設けられており、前記開閉制御手段は、前記第１通気状態下において、前記第１通気入口を開放かつ前記第２通気入口を閉鎖すべく前記入口開閉手段を制御し、前記第２通気状態下において、前記第１通気入口を閉鎖かつ前記第２通気入口を開放すべく前記入口開閉手段を制御することを特徴とする。
【００１９】
本発明によれば、屋内通過気流により屋内空間の換気を行う第１通気状態では、窓部に対向する壁部に設けられた第１通気入口が開放されかつ、半屋外空間の床部に設けられた第２通気入口が閉鎖される。この場合、屋外風が第１通気入口を通じて窓部側に向けた流れとして半屋外空間に取り込まれるため屋内通過気流を生じさせ易い。一方、半屋外空間での上昇気流により屋内空間の換気を行う第２通気状態では、壁部側の第１通気入口が閉鎖され、かつ床部側の第２通気入口が開放される。この場合、屋外風が第２通気入口を通じて上向きの流れとして、すなわち第１通気出口側の流れとして半屋外空間に取り込まれるため半屋外空間において上昇気流を生じさせ易い。よって、この場合、各通気状態における屋内空間の換気をそれぞれ好適に行うことができる。
【００２０】
第６の発明の建物の通気構造は、第１乃至第５のいずれかの発明において、前記半屋外空間の前記囲い壁部及び前記屋根部の少なくともいずれかは、前記半屋外空間に対して採光可能に構成されていることを特徴とする。
【００２１】
本発明によれば、半屋外空間の囲い壁部及び屋根部の少なくともいずれかが採光可能とされているため、半屋外空間に太陽光を採り入れることで同空間を暖めることができる。この場合、第１通気出口を開放させると、暖められた空気が上昇し第１通気出口より屋外に排出される。そして、それに伴い通気入口からは外気が半屋外空間に入り込む。つまり、この場合、半屋外空間に上昇気流が発生する。これにより、半屋外空間において上昇気流の発生を促進させることができ、当該上昇気流を利用した屋内空間の換気を好適に実施できる。
【図面の簡単な説明】
【００２２】
【図１】建物の構成を示す縦断面図。
【図２】スラットを示す斜視図。
【図３】建物における風の流れを示す縦断面図。
【図４】通気システムの電気的構成を示す図。
【図５】通気制御処理を示すフローチャート。
【図６】他の実施形態における建物の構成を示す縦断面図。
【図７】後付け式のバルコニーを示す斜視図。
【図８】袖壁部と庇部との連結構成を示す斜視図。
【図９】後付け式のバルコニーの利用例を示す図。
【図１０】ファザードパネルを有するバルコニーを示す斜視図。
【発明を実施するための形態】
【００２３】
以下に、本発明を具体化した一実施の形態について図面を参照しつつ説明する。なお、図１は建物の構成を示す縦断面図である。
【００２４】
図１に示すように、本実施形態の建物１０は、建物本体１１と、建物本体１１の上方に設けられた屋根部１２とを備える。建物本体１１は、一階部分１３と二階部分１４とを有してなる二階建て建物であり、一階部分１３には居室１６が形成され、二階部分１４には居室１７が形成されている。また、屋根部１２は、陸屋根として構成されている。
【００２５】
建物１０の二階部分１４には、建物本体１１から屋外側に張り出すようにしてキャンチバルコニー２０（以下、バルコニー２０という）が設けられている。バルコニー２０には、バルコニー空間２８が形成されており、バルコニー空間２８は居室１７と隣接して設けられている。この場合、バルコニー空間２８が半屋外空間に相当し、居室１７が屋内空間に相当する。バルコニー空間２８と居室１７とは外壁部１８により仕切られており、外壁部１８にはバルコニー空間２８へ出入りするための窓部２５が設けられている。窓部２５は、例えば掃き出し窓により構成され、窓部２５には、当該窓部２５を開閉するガラス戸２６が設けられている。
【００２６】
バルコニー２０は、上下に対向して設けられたバルコニー床部２１及びバルコニー屋根部２２と、それら各部２１，２２を上下に跨ぐように設けられたバルコニー壁部２３とを備えている。本バルコニー２０では、バルコニー空間２８がこれら各部２１〜２３と外壁部１８とにより囲まれた閉空間として形成されている。なお、バルコニー屋根部２２は、建物本体１１の屋根部１２と連続して形成されており、建物１０において陸屋根の一部を構成している。
【００２７】
次に、建物１０における通気構造について説明する。
【００２８】
バルコニー２０のバルコニー壁部２３において外壁部１８と対向して設けられた対向壁部２３ａには、バルコニー空間２８と屋外とを連通する給気口３１が形成されている。給気口３１は、対向壁部２３ａの下部に形成されており、詳しくは対向壁部２３ａにおいて下端からその上方の所定高さに亘って形成されている。また、給気口３１は、窓部２５の正面に配置されている。
【００２９】
給気口３１には、複数のスラット３４が設けられ、これらのスラット３４によりルーバが構成されている。図２には、複数のスラット３４の斜視図が示されている。各スラット３４は横長板状に形成され、給気口３１において上下に並べて設けられている。各スラット３４は回転可能に軸支され、回転することにより開状態と閉状態とに移行可能となっている。各スラット３４の開状態では、スラット３４が傾斜した状態又は横向きの状態となり、上下に隣接するスラット３４間に隙間（以下、スラット間隙間４５という）が形成される。この場合、スラット間隙間４５を通じてバルコニー空間２８への外気の取り込みが許容される。一方、各スラット３４の閉状態では、スラット３４が縦向きの状態となり、スラット間隙間４５が形成されない。この場合、バルコニー空間２８への外気の取り込みが禁止される。
【００３０】
また、各スラット３４はスラット開状態においてスラット角度の調整が可能とされている（図３も参照）。この場合、各スラット３４のスラット角度を変えることで、スラット間隙間４５を通じてバルコニー空間２８に取り込まれる屋外風をいずれの側に導くかを調整できるようになっている。
【００３１】
バルコニー屋根部２２には、バルコニー空間２８と屋外空間とを連通する第１排気口３６が設けられている。第１排気口３６には、開閉式のトップライト３７が設けられており、このトップライト３７により第１排気口３６が開閉される構成となっている。
【００３２】
屋根部１２において居室１７の上方には、当該居室１７と屋外空間とを連通する第２排気口４１が設けられている。第２排気口４１には、開閉式のトップライト４２が設けられており、このトップライト４２により第２排気口４１が開閉される構成となっている。
【００３３】
次に、本建物１０における通気構造の作用について図３に基づいて説明する。なお、図３は、建物１０における風の流れを示す縦断面図であり、（ａ）が居室１７に風を通している状態を示し、（ｂ）がバルコニー空間２８に風を通している状態を示している。また、図３（ａ）及び（ｂ）の各状態ではいずれもガラス戸２６が開かれて窓部２５が開放されており、居室１７とバルコニー空間２８とが連通状態にある。
【００３４】
図３（ａ）では、給気口３１の各スラット３４が横向きとされて開状態になっている。そして、居室１７のトップライト４２が開かれて第２排気口４１が開放されているとともに、バルコニー２０のトップライト３７が閉じられて第１排気口３６が閉鎖されている。かかる状態では、屋外風が、給気口３１（詳しくはスラット間隙間４５）よりバルコニー空間２８に流れ込み、さらに窓部２５を通じて居室１７に流れ込んだ後第２排気口４１より屋外に排出される。この場合、居室１７に当該居室１７を通過する居室通過気流が生じ、その気流により居室１７を換気することができる。なお、以下においては、屋外風により居室１７に居室通過気流を生じさせる上記の通気状態を第１通気状態という。
【００３５】
また、図３（ａ）では、各スラット３４が横向き状態（以下、この状態を第１状態という）にあるため、給気口３１よりバルコニー空間２８に流れ込む屋外風が窓部２５側すなわち居室１７側にスムーズに導かれるようになっている。そのため、居室通過気流が生じ易くなっており、当該気流による居室１７の換気を好適に行うことができる。
【００３６】
一方、図３（ｂ）では、給気口３１の各スラット３４が屋外側からバルコニー空間２８側に向かって上方傾斜した向きとされることで開状態とされている。そして、バルコニー２０のトップライト３７が開かれて第１排気口３６が開放されているとともに、居室１７のトップライト４２が閉じられて第２排気口４１が閉鎖されている。かかる状態では、屋外風が、給気口３１を通じてバルコニー空間２８に流れ込み、その後上方に流れて第１排気口３６より屋外に排出される。この場合、窓部２５が開放されていても、居室１７上方の第２排気口４１が閉鎖されているため、屋外風の居室１７への流れ込みは生じにくくなっている。ゆえに、バルコニー空間２８において上向きの空気の流れすなわち上昇気流が発生する。そして、この上昇気流により、居室１７の空気が窓部２５を介してバルコニー空間２８側に引き込まれ、当該上昇気流とともに第１排気口３６より屋外に排出される。したがって、居室１７に風を通していないにもかかわらず、居室１７の換気を行うことができる。なお、以下においては、屋外風によりバルコニー空間２８に上昇気流を生じさせる上記の通気状態を第２通気状態という。
【００３７】
また、図３（ｂ）では、各スラット３４が屋外側からバルコニー空間２８側に向かって上方傾斜した状態（以下、この状態を第２状態という）となっているため、給気口３１よりバルコニー空間２８に流れ込む屋外風が上方すなわち第１排気口３６側にスムーズに導かれるようになっている。この場合、バルコニー空間２８において上昇気流を生じさせ易く、当該上昇気流による居室１７の換気を好適に行うことができる。
【００３８】
ところで、建物１０に気象情報を取得する取得手段を設け、当該取得手段により取得した気象情報に基づいて各トップライト３７，４２を開閉制御してもよい。以下、かかる制御内容について図４に基づいて説明する。図４は、通気システムの電気的構成を示す図である。
【００３９】
図４に示すように、建物１０には、屋外において雨が降っていることを検知する雨滴検知センサ５２と、バルコニー２０側に向かって吹く屋外風の風量を検知する風量検知センサ５３とが設けられている。雨滴検知センサ５２は、例えば屋根部１２上に設けられ、風量検知センサ５３は、例えばバルコニー壁部２３の屋外側面に設けられている。なお、これら各検知センサ５２，５３がそれぞれ取得手段に相当する。
【００４０】
建物１０には、各スラット３４を回転駆動するスラット駆動部５５が設けられている。スラット駆動部５５は、例えば周知の電動式モータからなる。建物１０には、バルコニー２０のトップライト３７を開閉駆動する第１トップライト駆動部５６と、居室１７のトップライト４２を開閉駆動する第２トップライト駆動部５７と、ガラス戸２６を開閉駆動するガラス戸駆動部５８とが設けられている。これら各駆動部５６〜５８は、例えば電動モータ等の電動式の駆動機構からなる。
【００４１】
建物１０には、開閉制御手段としてのコントローラ５０が設けられている。コントローラ５０は、ＣＰＵ等を有する周知のマイクロコンピュータを主体に構成されており、例えば居室１７の内壁面に設けられている。建物１０には、ユーザにより操作される操作部５１が設けられている。操作部５１は、通気処理の開始及び停止を行う通気スイッチ（図示略）を有しており、例えばコントローラ５０に一体に設けられている。
【００４２】
コントローラ５０は、操作部５１に対する通気処理の開始及び停止の操作に基づいて、各駆動部５５〜５８に対し駆動信号の出力及びその停止を行う。また、コントローラ５０には、雨滴検知センサ５２及び風量検知センサ５３から検知結果が入力される。コントローラ５０はこれらの検知結果に基づいて、スラット駆動部５５及び各トップライト駆動部５６，５７に駆動信号を出力する。
【００４３】
次に、コントローラ５０により実行される通気処理制御について図５に基づいて説明する。図５は通気制御処理を示すフローチャートである。なお、本処理は、所定の周期で繰り返し実行される。
【００４４】
図５に示すように、まずステップＳ１１では、操作部５１の通気スイッチがＯＮになっているか否かを判定する。通気スイッチがＯＮになっている場合にはステップＳ１２に進む。
【００４５】
ステップＳ１２では、ガラス戸駆動部５８に駆動信号を出力してガラス戸２６を開ける。これにより、窓部２５が開放され、バルコニー空間２８と居室１７とが連通される。
【００４６】
ステップＳ１３では、雨滴検知センサ５２からの検知結果に基づいて、屋外にて雨が降っているか否かを判定する。屋外で雨が降っていない場合にはステップＳ１４に進み、風量検知センサ５３からの検知結果に基づいて、バルコニー２０側に向かって吹く屋外風の風量が所定量以上であるか否かを判定する。ここで、所定の風量とは、給気口３１からバルコニー空間２８に取り込んだ屋外風を居室１７に通す第１通気状態とした場合に、居住者等が不快感を感じ始めることが想定される風量に設定されている。屋外においてバルコニー２０側に向かって吹く屋外風の風量が所定量以上でない場合には、ステップＳ１５に進み、第１通気処理を実行する。
【００４７】
第１通気処理では、スラット駆動部５５に第１駆動信号を出力し、各スラット３４を第１状態にする（図３（ａ）参照）。そして、第２トップライト駆動部５７に駆動信号を出力して、居室１７のトップライト４２を開けるとともに、第１トップライト駆動部５６に対する駆動信号の出力を停止してバルコニー２０のトップライト３７を開ける。これにより、居室１７の第２排気口４１が開放されるとともに、バルコニー２０の第１排気口３６が閉鎖される。すなわち、この場合、居室１７に居室通過気流が生じる第１通気状態となる。したがって、屋外が晴天である場合や、屋外において強風が吹いていない場合には、居室１７に風を通した状態で居室１７の換気が行われる。
【００４８】
一方、ステップＳ１３において屋外で雨が降っている場合、又はステップＳ１４においてバルコニー２０側に向かって吹く屋外風の風量が所定量以上である場合にはステップＳ１６に進み、第２通気処理を実行する。第２通気処理では、スラット駆動部５５に第２駆動信号を出力して各スラット３４を第２状態とする（図３（ｂ）参照）。そして、第１トップライト駆動部５６に駆動信号を出力して、バルコニー２０のトップライト３７を開けるとともに、第２トップライト駆動部５７に対する駆動信号の出力を停止して居室１７のトップライト４２を閉じる。これにより、バルコニー２０の第１排気口３６が開放されるとともに、居室１７の第２排気口４１が閉鎖される。すなわち、この場合、バルコニー空間２８において上昇気流が生じる第２通気状態となる。したがって、屋外で雨が降っている場合や、屋外において強風が吹いている場合には、居室１７に風を通さない状態で、バルコニー空間２８の上昇気流を利用した居室１７の換気が行われる。その後、本処理を終了する。
【００４９】
一方、先のステップＳ１１において操作部５１の通気スイッチがＯＦＦになっている場合には、ステップＳ１７に進み、ガラス戸駆動部５８に対する駆動信号の出力を停止する。これにより、ガラス戸２６が閉じられ、窓部２５が閉鎖される。
【００５０】
続くステップＳ１８では、通気処理を停止する。ここでは、スラット駆動部５５に対して閉信号を出力し、各スラット３４を閉状態とする。そして、各トップライト駆動部５６，５７に対する駆動信号の出力を停止し、居室１７側及びバルコニー２０側の各トップライト３７，４２を閉じる。これにより、居室１７側及びバルコニー２０側の各排気口３６，４１が閉鎖される。その後、本処理を終了する。
【００５１】
以上、詳述した本実施形態の構成によれば、以下の優れた効果が得られる。
【００５２】
バルコニー壁部２３の下部に形成されバルコニー空間２８を屋外と連通させる給気口３１と、バルコニー屋根部２２に形成されバルコニー空間２８を屋外と連通させる第１排気口３６と、第１排気口３６を開閉するトップライト３７と、居室１７上方の屋根部１２に形成され居室１７を屋外と連通させる第２排気口４１と、第２排気口４１を開閉するトップライト４２とを備える構成とした。この場合、バルコニー空間２８側の第１排気口３６がトップライト３７により閉鎖され、かつ、居室１７側の第２排気口４１がトップライト４２により開放されると、屋外風が、給気口３１よりバルコニー空間２８に流れ込み、さらに窓部２５を通じて居室１７に流れ込んだ後第２排気口４１より屋外に排出される。これにより、屋内通過気流が生じ、居室１７に風を通した状態で居室１７の換気を好適に行うことができる。
【００５３】
一方、居室１７側の第２排気口４１がトップライト４２により閉鎖され、かつ、バルコニー空間２８側の第１排気口３６がトップライト３７により開放されると、屋外風が、給気口３１を通じてバルコニー空間２８に流れ込み、その後上方に流れ第２排気口４１より屋外に排出される。この場合、バルコニー空間２８において上昇気流が発生し、その上昇気流により居室１７の空気が窓部２５を通じてバルコニー空間２８側に引き込まれ、その後当該上昇気流とともに第１排気口３６より屋外に排出される。したがって、この場合、居室１７に屋外風を通さなくても、居室１７の換気を行うことができる。よって、以上より、晴天時には、居室１７に風を通して換気を行い、雨天時には、バルコニー空間２８の上昇気流を利用して換気を行う等、都度の屋外環境に応じて好適に換気を行うことができる。
【００５４】
給気口３１よりバルコニー空間２８に取り込まれる屋外風を第１排気口３６側及び窓部２５側のいずれの側に導くかを、複数のスラット３４により切り替えられるようにした。具体的には、複数のスラット３４を第１状態に切り替えることにより、屋外風を窓部２５側に導き、複数のスラット３４を第２状態に切り替えることにより、屋外風を第１排気口３６側に導くようにした。この場合、居室通過気流により居室１７の換気を行う際において、複数のスラット３４を第１状態に切り替えれば、居室通過気流を生じさせ易くすることができ、居室１７の換気を好適に行うことができる。また、バルコニー空間２８における上昇気流により居室１７の換気を行う際において、複数のスラット３４を第２状態に切り替えれば、バルコニー空間２８において上昇気流を生じさせ易くすることができ、当該上昇気流による居室１７の換気を好適に行うことができる。よって、この場合、居室通過気流により換気を行う場合、及び、バルコニー空間２８の上昇気流により換気を行う場合のいずれにおいても好適な換気を行うことができる
雨滴検知センサ５２及び風量検知センサ５３の検知結果に基づいて、トップライト３７を閉鎖かつトップライト４２を開放させ、給気口３１から取り込んだ屋外風により屋内通過気流を生じさせる第１通気状態と、トップライト３７を開放かつトップライト４２を閉鎖させ、給気口３１から取り込んだ屋外風によりバルコニー空間２８で上昇気流を生じさせる第２通気状態とを選択的に行わせるよう開閉制御する構成とした。この場合、屋外が晴天である場合には第１通気状態とすることで、居室１７に風を通した状態で換気を行ったり、屋外が雨天である場合には第２通気状態とすることで、バルコニー空間２８における上昇気流により居室１７の換気を行ったりする等、居室１７の換気態様を天候に応じて自動で切り替えることができる。これにより、居室１７の換気を行うにあたって利便性を高めることができる。
【００５５】
本発明は上記実施形態に限らず、例えば次のように実施されてもよい。
【００５６】
（１）上記実施形態では、給気口３１をバルコニー壁部２３に設けたが、これに代えて又は加えて、給気口をバルコニー床部２１に設けてもよい。その例を図６に示す。図６では、バルコニー壁部２３に設けられた給気口３１に加えて、バルコニー床部２１にバルコニー空間２８と屋外とを連通する給気口７１が設けられている。給気口７１は、第１排気口３６と上下に対向して設けられており、給気口７１にはグレーチング７２がはめ込まれている。なおここで、給気口３１が第１通気入口に相当し、給気口７１が第２通気入口に相当する。
【００５７】
給気口７１には、当該給気口７１を開閉する開閉蓋７３が設けられている。ここで、複数のスラット３４及び開閉蓋７３がそれぞれ入口開閉手段に相当し、本例ではそれら各入口開閉手段３４，７３のうちいずれか開けることにより、各給気口３１，７１のうちいずれかを通じてバルコニー空間２８に屋外風を取り込めるようになっている。また、建物１０には、開閉蓋７３を開閉駆動する蓋開閉駆動部７４が設けられており、同駆動部７４は、例えば電動モータ等の電動式の駆動機構からなる。
【００５８】
ここで、本例では、コントローラ５０が、ステップＳ１５の第１通気処理及びステップＳ１６の第２通気処理（図５参照）において、スラット駆動部５５及び蓋開閉駆動部７４に駆動信号を出力し、各スラット３４及び開閉蓋７３を開閉制御する構成となっている。すなわち、上記実施形態では、各通気処理において複数のスラット３４を第１状態又は第２状態に移行するよう制御したが、本例ではこれに代えて、かかる制御（各スラット３４及び開閉蓋７３の開閉制御）を行うこととしている。以下、その制御内容について説明する。なお、各通気処理（ステップＳ１５，Ｓ１６）において実施されるトップライト駆動部５６，５７に対する駆動制御は上記実施形態と同じであるため、ここでは説明を省略する。
【００５９】
図６（ａ）に示すように、第１通気処理（ステップＳ１５に相当）では、コントローラ５０は、スラット駆動部５５に開信号を出力して各スラット３４を開状態（具体的には第１状態）にするとともに、蓋開閉駆動部７４に対する駆動信号の出力を停止して開閉蓋７３を閉じる。これにより、バルコニー壁部２３の給気口３１が開放され、バルコニー床部２１の給気口７１が閉鎖される。この場合、屋外風が給気口３１より窓部２５側に向かう流れとしてバルコニー空間２８に取り込まれる。そのため、居室１７に居室通過気流を生じさせる第１通気状態において、当該気流を生じさせ易くなっており、その結果居室１７の換気を好適に行える。
【００６０】
一方、図６（ｂ）に示すように、第２通気処理（ステップＳ１６に相当）では、コントローラ５０は、スラット駆動部５５に閉信号を出力して各スラット３４を閉状態にするとともに、蓋開閉駆動部７４に対して駆動信号を出力して開閉蓋７３を開く。これにより、バルコニー床部２１の給気口７１が開放され、バルコニー壁部２３の給気口３１が閉鎖される。この場合、屋外風が給気口７１より上方すなわち第１排気口３６側に向かう流れとしてバルコニー空間２８に取り込まれる。そのため、バルコニー空間２８に上昇気流を生じさせる第２通気状態において、当該上昇気流を生じさせ易くなっており、その結果上昇気流により居室１７の換気を好適に行える。
【００６１】
また、キャンチバルコニー２０の下方空間はいわば凹空間（詳しくはバルコニー床部２１、地面及び建物本体１１の外壁部により三方を囲まれた凹空間）となっているため、外気が集まり易くなっていると考えられる。そのため、当該下方空間から屋外風をバルコニー空間２８に取り込む本例の構成は、屋外風の取り込み量を多くすることが可能であり、その点においてもバルコニー空間２８における上昇気流を促進する効果が期待できる。
【００６２】
（２）バルコニー屋根部２２及びバルコニー壁部２３のうち少なくともいずれかを採光可能に構成としてもよい。例えば、バルコニー屋根部２２及びバルコニー壁部２３の双方をガラス等の透明材料により形成することが考えられる。この場合、バルコニー空間２８に太陽光を採り入れることで同空間２８を暖めることができる。したがって、第１排気口３６を開放させると、暖められた空気が上昇し第１排気口３６より屋外に排出され、それに伴い屋外の風が給気口３１を通じてバルコニー空間２８に入り込む。つまり、この場合、バルコニー空間２８において上昇気流が発生する。これにより、バルコニー空間２８において上昇気流の発生を促進させることができ、当該上昇気流を利用した居室１７の換気を好適に実施できる。
【００６３】
（３）上記実施形態では、バルコニー壁部２３において窓部２５に対向する対向壁部２３ａに給気口３１を設けたが、これを変更し、バルコニー壁部２３において対向壁部２３ａをに交差する向きで設けられた壁部に給気口３１を設けてもよい。
【００６４】
（４）上記実施形態では、建物本体１１から屋外側に張り出したキャンチバルコニー２０に本発明を適用したが、ルーフバルコニー等その他のバルコニーに本発明を適用してもよい。
【００６５】
（５）上記実施形態では、バルコニー空間２８を閉空間として構成したが、バルコニー空間を開空間として構成してもよい。例えば、バルコニー壁部２３の一部又は全部を腰壁として構成しバルコニー空間を開空間とすることが考えられる。
【００６６】
（６）上述したバルコニー２０は、リフォーム等により建物本体１１に後付けされることで構築（増築）されるものであってもよい。この場合のバルコニーの構成を図７に例示する。図７のバルコニー６０は、当該バルコニー６０において床部を構成するスラブ部６１と、屋根部を構成する庇部６２と、壁部を構成する腰壁部６３及び袖壁部６４とを備え、これら各部材６１〜６４が現場において互いに連結されることにより構築されるものとなっている。スラブ部６１と庇部６２とはそれぞれ建物本体１１の躯体（例えば梁等）に対して片持ち状態で連結されており、スラブ部６１の周縁部には各壁部６３，６４が立設されている。腰壁部６３は、建物本体１１（外壁部）に対向して設けられ、その下端部がスラブ部６１に連結されている。袖壁部６４は、腰壁部６３を挟んだ両側にそれぞれ設けられ、各袖壁部６４において上端部が庇部６２に連結され、下端部がスラブ部６１に連結されている。
【００６７】
図８には、袖壁部６４の上端部と庇部６２との連結構成が示されている。同図に示すように、庇部６２の下面には、袖壁部６４の設置方向に沿って長尺状の接合部材６５が取り付けられている。接合部材６５は、下方に突出する突出部６６を有し、この突出部６６は接合部材６５の長手方向に沿って延びている。一方、袖壁部６４の上端面には、幅方向に延びる溝部６７が形成されている。この場合、この溝部６７に接合部材６５の突出部６６がはめ込まれることにより袖壁部６４が接合部材６５に連結され、ひいては接合部材６５を介して袖壁部６４と庇部６２とが連結されるようになっている。これにより、袖壁部６４の設置作業が簡易なものとなっている。
【００６８】
また、図７の例では、庇部６２が建物本体１１に連結された状態において、庇部６２と屋根部１２とにより連続した屋上面が形成される構成となっている。したがって、バルコニー６０の増設時には、屋根部１２の周縁部に形成されたパラペット１２ａのうち庇部６２に対応する部分（図７にて網掛けした部分）をはつる作業を行う。
【００６９】
また、庇部６２には、その上面に防水シート６９が建物本体１１側に一部はみ出した状態で予め製造工場にて敷設されている。防水シート６９の上記はみ出し部は、庇部６２を建物本体１１側に連結した後、屋根部１２の上面に重ね置かれ、これにより防水シート６９が屋根部１２上面と庇部６２上面とに跨って敷設されるようになっている。これにより、それら両者１２，６２の間から水漏れすることが抑制されている。
【００７０】
なお、バルコニー６０の増設の際、外壁部１８においてバルコニー６０に対応する部分（図７にて網掛けした部分）に窓部２５を形成するとともに、当該窓部２５にガラス戸２６を設置する作業を行うこととなる。
【００７１】
（７）上記（６）の構成において、例えば図９（ａ）に示すように、庇部６２に太陽光パネル７５を設置してもよい。この場合、庇部６２に予め太陽光パネル７５を取り付けておけば、バルコニー６０を増設する際に太陽光パネル７５も併せて設置できる。また、図９（ｂ）に示すように、スラブ部６１から屋外側に延出する庇部７８を設け、スラブ部６１及び庇部７８の下方空間を駐車スペースとしてもよい。また、この場合、スラブ部６１に、車両への接続が可能な充電ケーブル８１を有する蓄電池７７を設置してもよい。そうすれば、駐車スペースに駐車中の車両Ｃに充電ケーブル８１を接続することで当該車両Ｃの充電を行うことが可能となる。
【００７２】
（８）図１０には、ファザードパネル９１を有したバルコニー９０が示されている。ファザードパネル９１は、バルコニー９０において腰壁９８と屋根部９９との間に複数配設されている。ファザードパネル９１は、腰壁９８の壁面方向に沿って水平方向にスライド可能な一対のパネル９２，９３を有しており、それら各パネル９２，９３をスライドさせることでファザードパネル９１の幅を大小変更できるようになっている。図１０（ａ）には、ファザードパネル９１の幅が拡張された拡張状態が示されており、この拡張状態ではファザードパネル９１に複数の開口部９５が格子状に形成されている。この場合、これらの開口部９５を通じてバルコニー空間に屋外風を取り込んだり、太陽光を取り込んだりすることができる。
【００７３】
一方、図１０（ｂ）には、ファザードパネル９１の幅が縮小された縮小状態が示されている。この縮小状態では、拡張状態に対してファザードパネル９１の幅がおよそ半分となっている。この場合、各ファザードパネル９１を一方側に寄せる等して、バルコニー９０において腰壁９８と屋根部９９との間に比較的大きな屋外開放領域を形成できる。そのため、開放感のあるバルコニー空間を演出することができる。なお、かかる状態では、ファザードパネル９１に複数の開口部９５が形成されていない。
【符号の説明】
【００７４】
１０…建物、１１…建物本体、１７…屋内空間としての居室、１８…仕切壁部としての外壁部、２０…張出部としてのバルコニー、２１…バルコニー床部、２２…バルコニー屋根部、２３…囲い壁部としてのバルコニー壁部、２３ａ…対向壁部、２５…窓部、２８…半屋外空間としてのバルコニー空間、３１…通気入口としての給気口、３４…スラット、３６…第１通気出口としての第１排気口、３７…第１開閉手段としてのトップライト、４１…第２通気出口としての第２排気口、４２…第２開閉手段としてのトップライト、５０…開閉制御手段としてのコントローラ、５２…取得手段としての雨滴検知センサ、５３…取得手段としての風量検知センサ。
【図１】
0005809834.tif 000002
【図２】
0005809834.tif 000003
【図３】
0005809834.tif 000004
【図４】
0005809834.tif 000005
【図５】
0005809834.tif 000006
【図６】
0005809834.tif 000007
【図７】
0005809834.tif 000008
【図８】
0005809834.tif 000009
【図９】
0005809834.tif 000010
【図１０】
0005809834.tif 000011